(57)【要約】【課題】安価であるとともに取付けも極く簡易であるドア用指詰め防止具を提供することにある。【解決手段】内外方向である枠幅間に突出状のドア受けを備えたドア枠にヒンジで回転自在に支持されたドア本体を備えてなるドア装置に設けられるドア用指詰め防止具であって、少なくともドア本体の回転支持側の基部面とそれに直交するドア受けとのなす入り隅部に沿って縦向きに長く伸びて配置される防止具本体と、同本体を前記入り隅部に対応位置させるためのマグネット・吸盤・両面テープ・粘着パッドなど簡易脱着式保持手段とを備えてなる。【選択図】図１
2010203220.tif 000002
【特許請求の範囲】
【請求項１】
内外方向である枠幅間に突出状のドア受けを備えたドア枠にヒンジで回転自在に支持されたドア本体を備えてなるドア装置に設けられるドア用指詰め防止具であって、少なくともドア本体の回転支持側の基部面とそれに直交するドア受けとのなす入り隅部に沿って縦向きに長く伸びて配置される防止具本体と、同本体を前記入り隅部に対応位置させるためのマグネット・吸盤・両面テープ・粘着パッドなど簡易脱着式保持手段とを備えてなるドア用指詰め防止具。
【発明の詳細な説明】
【技術分野】
【０００１】  本発明は、ドア用指詰め防止具に関する。
【背景技術】
【０００２】  ドア本体はドア枠内に嵌め込まれてヒンジで開閉自在に支持されることでドア装置を構成する。ドア本体は、ドアクローザーで自動閉止することもあって不測にもドア本体とドア枠との間で指などを挟まれることがある。特に、ドアの回転支持側にあっては閉じる力が強大であるため、指は圧潰され大事故につながるおそれがある。
【発明の開示】
【発明が解決しようとする課題】
【０００３】  そうした問題を解消する技術は、特開昭６１−１７７８号、実開昭６３−１７９３９０号、実開昭５２−９５６号、実開昭５２−９４７５６号、実開昭５３−５７６３８号、実開昭５３−８９０４６号、実開昭５３−１５１２４２号、特開平１０−７２９７４号などとして数多く開示されている。しかしながら、これまでの技術はいずれも防止装置の取付けに難があり、また構造が複雑で高くついていた。
上記に鑑み、本発明は、安価であるとともに取付けも極く簡易であるドア用指詰め防止具を提供することにある。
【課題を解決するための手段】
【０００４】  上記課題を解決するため、請求項１記載の発明は、内外方向である枠幅間に突出状のドア受けを備えたドア枠にヒンジで回転自在に支持されたドア本体を備えてなるドア装置に設けられるドア用指詰め防止具であって、少なくともドア本体の回転支持側の基部面とそれに直交するドア受けとのなす入り隅部に沿って縦向きに長く伸びて配置される防止具本体と、同本体を前記入り隅部に対応位置させるためのマグネット・吸盤・両面テープ・粘着パッドなど簡易脱着式保持手段とを備えてなる。
ここで、簡易脱着式とは、ビスやボルトなどの締結手段に依らない所謂ワンタッチ装着の可能な方式の意味である。粘着パッドとは、耐震用とされているウレタン等のエラストマー質のものがその代表的なものである。
【発明の効果】
【０００５】  本発明によれば、内外方向である枠幅間に突出状のドア受けを備えたドア枠にヒンジで回転自在に支持されたドア本体を備えてなるドア装置に設けられるドア用指詰め防止具であって、少なくともドア本体の回転支持側の基部面とそれに直交するドア受けとのなす入り隅部に沿って縦向きに長く伸びて配置される防止具本体と、同本体を前記入り隅部に対応位置させるためのマグネット・吸盤・両面テープ・粘着パッドなど簡易脱着式保持手段とを備えてなるので、安価であるとともに取付けも極く簡易であるドア用指詰め防止具を提供することができる。
【発明を実施するための最良の形態】
【０００６】  以下の各実施形態で説明する個々の提案例は他の実施形態にも適用されるものとする。
図１および図２は、この発明の好適な一実施形態を示すもので、図１は事務所のドア装置を室内側からみた正面斜視図、図２は図１のＩＩ−ＩＩ線拡大断面図である。【０００７】  このドア装置は、建造物躯体１の開口にスチール製で縦長四辺形をしたドア枠２を嵌め込んで備える。同ドア枠２は、図２にその断面を示すように、基枠部３の内外方向である枠幅間に内周全体に亘って突出状のドア受け（当たり）４を備える。５は室内側凹所、６は室外側凹所である。【０００８】  ８はドア本体で、スチール製であり、図１では右勝手式としてあるが、左勝手式でもよい。同ドア本体８は、ノブ９を備えるとともに室外側凹所６内に嵌め込まれて上下のヒンジ１０で開閉自在に支持され、閉止はドアクローザー１１により自動閉止されるようになっている。【０００９】  ここで、図２に示すように、ドア本体８の回転支持側の基部面ａとそれに直交するドア受け４との間は、ドアが開いたときは隙間ができるが閉じるときには少しずつ強力な力で閉じるのでそこに指を挟むおそれがある。
そこで、図１のように立つ人の指が基部面ａとドア受け４との間に挟まれないようにドア受け４の突出面とドア本体８の基部面ａとのなす入り隅部に対応して手指が入らない遮蔽材である指詰め防止具１３を設けた。【００１０】  この防止具１３は、発泡スチロールやウレタン、多孔樹脂スポンジ、木材、プラスチック板などの軽量素材を用いた防止具本体１４を横断面扇面状の長い（１．２〜１．４ｍ）部材として形成してそれを入り隅部に沿って縦向きに長く伸びて配置したもので、この場合、同防止具本体１４は、その下端がドア枠２の底枠部より少し上寄りにあり上端が底枠部より１．２〜１．４ｍ上方に上がった高さに位置する。同防止具本体１４を前記入り隅部に対応位置させるため、ドア枠２に吸着するマグネットである簡易脱着式保持手段１５を上下２個所に埋め込んで備えてなる。この保持手段１５は、ドア枠２のドア受け４表面に強力に吸着して容易には離れない程度のものが好適である。同保持手段１５は、吸盤や両面テープ、接着剤などでもよく、あるいはこれらの（マグネットを含む）の適宜組み合わせによって構成してもよい。１６はプラスチック板や木板などの軽量な中骨板で、防止具本体１４の一側寄りに挿入され保持手段１５の埋込固定用に挿入されている。
尚、図２に左下欄に示すように、防止具本体１４は、プラスチック板を折り曲げたりＦＲＰ材による中空型のものにしてもよい。図２において、ドア枠２とドア本体８との間はバールなどの挿入可能な一定以上（１０ｍｍ以上）の差込隙間Ｓを設けておけば、地震発生時に救助道具を差し込んでドア本体８をこじ開けやすくなる。
また、図１に示すように、防止具本体１４の上端面や手前面などに危機時の警報アラーム１７を埋め込みあるいはぶら下げて装備しておけば玄関対応時の防犯対策に有効である。
このアラーム１７は、緊急地震警報器を含み、この警報器には、バッテリー装備で電波により作動するものも含まれる。【００１１】  図３は他の実施形態を示す。四辺形の横断面形状にした防止具本体１８を示す。
図４は他の実施形態を示す。直角三角形の横断面形状にした防止具本体２０を示す。【００１２】  図５は他の実施形態を示す。扇形横断面（その他の丸、三角あるいは四辺形などでもよい）に保持手段２２を備えた防止具本体２３がドア本体２４側に吸着固定されるようにしたものである。尚、図６に示すように、六角形あるいは八角形などの多角形をした防止具本体２６としてもよい。【００１３】  図７は他の実施形態を示す。同実施形態は、２本の防止具本体２８，２９からなり、それぞれに保持手段３０を備えるが、一方はドア枠３１側に他方はドア本体３２側に吸着して、一方の防止具本体２８は固定で指詰めを防止するが他方の防止具本体２９はドア本体３２とともに回転するものになっているのでドアが閉じる手前では双方２８，２９が協同して指詰めを防止するようになっている。防止具本体２８，２９の形状は図示以外のものでもよい。例えば、図８に示すように、扇形（１／８円）の防止具本体３４，３５にしてもよい。３６は保持手段である。【００１４】  図９は他の実施形態を示す。同実施形態は、保持手段３７付き防止具本体３８を短いものとして、上下に複数配備できるようにしたものである。右図のように３個の防止具本体３８…により構成したり、逆に１個の防止具本体３８により防止具を構成してもよい。３９は保持手段である。
更に右欄図のように、伸縮式突っ張り棒（保持手段）３９の回りに円筒型防止具本体３８を挿支して指詰め防止具としてもよい。尚、突っ張り棒３９に代えて、上下伸縮自在な縦フレームとその上下端板とを備えた剛強フレームを突っ張り式にドア枠内に装備すれば地震対策用となる。この場合、同フレームに防止具本体３８を別途装備する場合とフレームそれ自体が指詰め防止を兼ねるように構成する場合とがある。【００１５】  図１０は他の実施形態を示す。同実施形態は、軽量樹脂などによる防止具本体４０をドア枠４１に固定できるようにするとともに同本体４０から上に伸びる上伸材４２を備えて伸縮型防止具を構成したものである。
こうした伸縮型のものは、右欄に示すように、下防止具本体４４と上防止具本体４５およびつなぎ材４６により防止具を構成してもよい。４７は保持手段である。【００１６】  図１１は他の実施形態を示す。同実施形態は、樹脂製（あるいは木質）リンクチェーンを防止具本体５０とし、同本体５０をドア枠５１に保持手段により吊り掛けて指詰め防止を図るようにしたものである。保持手段は、マグネット５２とフック５３の組み合わせでなるが、吸盤でもよい。リング５５を備えた補助防止具本体５６を前記防止具本体５０に付け掛けして複数条のリンクチェーンでより安全を確保できるようにしてもよい。
また、右欄に示すように、リング状にした防止具本体５７をフック５３に吊り掛けるようにしてもよい。【００１７】  さらに、右欄図のように、第１保持手段５９をドア枠６０に、第２保持手段６１をドア本体６２に固定できるようにしてその間を常時弛んだ状態の吊持材６３で結ぶとともに、この吊持材６３にリンクチェーン製防止具本体６４を１条あるいは複数条ぶら下げるようにしてもよい。
保持手段５９，６１は、強力である点でマグネットが好ましいが吸盤や両面テープなどでもよい。【００１８】  また、吊持材６３は、細ワイヤ・ロープあるいはリンクチェーンなどが好適である。
ドア本体６２を開くと第２保持手段６１が同行することで吊持材６３が張るようになるがドアが一杯に開いても弛んだ状態に維持されるので切れるおそれはない。防止具本体６４はドアが開くとドア枠６０側から次第に離れるが第２保持手段６１が移動する量よりも防止具本体６４の離れる量の方が数分の１であって常にドア枠６０近くに位置するので防止具本体６４は手指の入るのを有効に阻止する。【００１９】  図１２は他の実施形態を示す。同実施形態は、ドア枠６６にスポンジや中空樹脂のような球体６７をつなぎ材６８により連鎖状とした防止具本体６９を吊り下げたものである。７０はフックで、マグネット７０ａ付きで保持手段を構成する。前記球体６７は、例えば、赤・黄色などカラフルな配色を組み合わせると玄関を美的にすることができる。【００２０】  図１３は他の実施形態を示す。同実施形態は、メッシュ質の傘立てである防止具本体７１を強力なマグネットである保持手段７２によりドア枠７３に吸着保持することによりドア本体７４とドア枠７３間への指詰めを防止するとともに傘入れとしても兼用できるようにしたものである。尚、防止具本体７１はドア枠７３の底枠部上に載せると安定し、同本体７１の底面にマグネットを備えて底枠部に吸着保持するようにしてもよい。【００２１】  図１４は他の実施形態を示す。同実施形態は、スリムタイプの収納用具で、同収納用具は、上下に強力マグネット８０を備えた背板８１に添って上部収納部８２と下部収納部８３とを備え、下部収納部８３内には傘入れ８４や靴入れ８５…が設けられた前扉８６付きのものとされ、上部収納部８２には所望の小物入れ８７…を備えた前扉８８付きのものになっている。本収納用具は可及的に軽量化されることが望ましい。
【図面の簡単な説明】
【００２２】
【図１】  本発明の一実施形態を示す正面斜視図。
【図２】  図１のＩＩ−ＩＩ線拡大断面図。
【図３】  他の実施形態を示す横断面図。
【図４】  他の実施形態を示す横断面図。
【図５】  他の実施形態を示す横断面図。
【図６】  他の実施形態を示す横断面図。
【図７】  他の実施形態を示す横断面図。
【図８】  他の実施形態を示す横断面図。
【図９】  他の実施形態を示す正面斜視図。
【図１０】  他の実施形態を示す正面斜視図。
【図１１】  他の実施形態を示す正面斜視図。
【図１２】  他の実施形態を示す正面斜視図。
【図１３】  他の実施形態を示す正面斜視図。
【図１４】  他の実施形態を示す正面図。
【符号の説明】
【００２３】  ２…ドア枠  ４…ドア受け  ８…ドア本体  １３…指詰め防止具  １４…防止具本体  １５…保持手段。
【図１】
2010203220.tif 000003
【図２】
2010203220.tif 000004
【図３】
2010203220.tif 000005
【図４】
2010203220.tif 000006
【図５】
2010203220.tif 000007
【図６】
2010203220.tif 000008
【図７】
2010203220.tif 000009
【図８】
2010203220.tif 000010
【図９】
2010203220.tif 000011
【図１０】
2010203220.tif 000012
【図１１】
2010203220.tif 000013
【図１２】
2010203220.tif 000014
【図１３】
2010203220.tif 000015
【図１４】
2010203220.tif 000016